(57)【要約】【課題】  重荷重物のための、それも特に印刷装置のアライメント装置であって、簡単な構成とされ、さらには応力負荷ないし歪による損傷を防止するアライメント装置を提供する。【解決手段】  アライメント装置１００は、少なくとも一つのプレート３３からなり、このプレートは、載置面でネジ止め固定されたベッド４２上に回転自在に支持され、ベッド４２上で該プレート自身の水平方向位置に関して調整ネジ３４〜３６により位置決め可能とされている。ここで、印刷装置４７の垂直方向位置を調整するために設けられかつ印刷装置４７側に固定可能な調整ネジ２３〜２５とともにプレート３３が協働する。調整ネジ２３〜２５は、球状の端部３１を有して形成され、かつ該端部が前記プレート３３上で球状の凹部３２内に支持されている。このとき、凹部３２は、僅かな遊びを有して、もしくは嵌め合いとして形成され、端部３１は、凹部３２内で回転自在に支持されている。【選択図】  図１
2004181942.tif 000002
【特許請求の範囲】
【請求項１】
重荷重物のための、特に印刷装置（４７）のアライメント装置（１００）であって、少なくとも一つのプレート（３３）を用い、該プレートは、載置面で固定されたベッド（４２）上に回転自在に支持されているとともに、前記ベッド（４２）上で該プレート自身の水平方向位置に関して調整ネジ（３４〜３６）により位置決め可能とされており、このとき、前記プレート（３３）は、印刷装置（４７）の垂直方向位置を調整するために設けられかつ印刷装置（４７）側に固定可能な調整ネジ（２３〜２５）とともに協働し、前記調整ネジ（２３〜２５）は、球状の端部（３１）を有して形成され、かつ該端部が前記プレート（３３）上で球状の凹部（３２）内に支持されており、このとき、前記凹部（３２）は、僅かな遊びを有して、もしくは嵌め合いとして形成され、前記端部（３１）は、前記凹部（３２）内で回転自在に支持されているアライメント装置。
【請求項２】
請求項１に記載のアライメント装置において、
前記調整ネジ（２３〜２５）は、前記プレート（３３）上で、安全装置部材（４６）によって確保され、これにより、安全装置部材（４６）と前記球状の端部（３１）との間に垂直方向の遊び（５１）ができるように構成されていることを特徴とするアライメント装置。
【請求項３】
請求項１または請求項２に記載の印刷装置のためのアライメント装置において、
前記印刷装置（４７）は、３つの設置点（４８，４９，５０）を介して前記載置面上に支持され、このとき、前記設置点（４８，４９，５０）毎に一つずつ配設されていることを特徴とするアライメント装置。
【請求項４】
請求項１に記載のアライメント装置において、
前記調整ネジ（２３〜２５）は、遊びの少ないフィッティング接続部（５５）によってブロック（２９）内を導かれ、前記ブロックは、切欠（５３）および舌部（５４）による構成のロック部（５２）によって、印刷装置（４７）側にフランジ固定可能とされていることを特徴とするアライメント装置。
【発明の詳細な説明】
【技術分野】
【０００１】
本発明は、請求項１に係る、印刷機の印刷装置用アライメント装置に関する。
【背景技術】
【０００２】
フィクセータ（Fixator）と呼ばれる少なくとも４つの調整可能な装置脚部を用いて印刷装置を設置することが知られている。この装置脚部によって、高さの設定が可能になる。また、印刷装置を直線に揃えるように付加的に補助する装置が知られている。
【０００３】
少なくとも４つの脚部上に印刷装置を据え付ける場合には、脚部の極僅かの高さの違いでさえ、印刷装置内に応力ならびに歪み（つまり、両側の印刷装置壁部が互いにずれる）を発生させる。このとき、両側の印刷装置壁部には、それぞれ２つずつ脚部が取付けられている。脚部の対のそれぞれは、このとき、配設された壁部にトルクを発生させる。そのため、一度据え付けられた印刷装置を新しい目的地に設置するには、印刷装置が応力負荷やあるいは捩れによって損傷しないように、相当の位置合わせ作業ならびに向き合わせ作業が必要となる。このアライメント作業は、建物のずれに対処するために繰り返し行われなければならないことも周知である。
【発明の開示】
【発明が解決しようとする課題】
【０００４】
本発明の課題は、印刷装置の設置に用いられる簡単な構成の装置を実現し、さらには、設置の際の応力負荷ないし歪による損傷を防止することにある。
【課題を解決するための手段】
【０００５】
この課題は、請求項１の特徴部分に記載の構成によって解決される。
【０００６】
印刷装置は、ねじれに対して硬い、ねじれ憎い基板架台を備え、フィクセータ（Fixator）と呼ばれるそれ自身周知の調整ユニットにより、４点ではなく３点上に設置される。このような設置は、静力学的に定まっており、他の装置の場合でも通常行われている。このように設置することにより、印刷装置架台には、いかなるモーメントも働き得ない。据え付け（設置）状態、そしてそれ故に据え付け（設置）精度は、印刷装置を動かした後でも維持される。輸送後の顧客先での再据え付けは、簡単になり、しかもその結果大幅にスピードアップが図られる。
【０００７】
アライメント装置を用いると、設置の際のアライメントの工程が簡単になり、スピードアップが図られるという点が重要である。さらに有利なのは、アライメント後の設置状態によって、印刷装置に新たに応力が加わったり、ねじれが生じたりすることはないという点である。
【０００８】
本アライメント装置の基本的に有利な点は、印刷装置に設けられた調整ネジが球状に形成された端部を有し、この端部によって該調整ネジが、位置決め可能なプレート上の凹部に働き、かつ自身がこのプレート上の凹部で支持されることにある。この球状の端部は、フィッティングとして形成された凹部の中で相対的に回転できたり、あるいは回動させたりできるように支持され、さらに、該端部の球状の面が完全に凹部内で支持されており、これにより、より短い力の流れが生じて、アライメント装置全体の剛性が高められるようになっている点が重要である。調整ネジを介してプレート上に伝達される力は、印刷装置の質量が大きいことに起因するが、この力は、協働するフィッティングとしての構成によって、最適な状態で調整ネジからプレートへと流れ、このとき、調整ネジおよびプレートは、圧力によって一種の「不可分の」結合を形成する。
【発明を実施するための最良の形態】
【０００９】
以下、本発明を実施形態に基づき説明する。
【００１０】
図１および図２は、アライメント装置１００を有する両面刷り印刷装置４７を概略的に示している。印刷装置４７の架台１（フレーム）は、側壁部２，３ならびにベッド４とカバー板５から、ねじれに対して硬い状態で組み立てられている。側壁部２，３の開口部６，７には、周知の方法でガイド部８，９が固定され、これらのガイド部上では、ここでは詳細に図示されぬ方法で、スライダ１０〜１３が矢印の方向１４，１５に可動に設けられている。上記スライダ１０〜１３には、周知のようにして印刷胴１６〜１９が回転自在に軸受けされている。
【００１１】
図１および図２に示すように、架台１のベッド４上には、それ自身周知の調整脚部２０〜２２が固定されている。かくして印刷装置４７は、調整ネジ２３〜２５を用いて、高さおよび傾きがアライメント（調整）可能になっている。このことは、両方向矢印２６〜２８によって示されている。これら調整脚部２０〜２２および調整ネジ２３〜２５が調整装置１００を構成している。
【００１２】
図４および図５は、それ自身良く知られた調整脚部２０〜２２の構成を示している。調整ネジ２３〜２５は、ネジ山を介してブロック２９内で可動とされている。このブロックは、基板架台４にネジで固定されている。調整ネジ２３〜２５の調整は、クランプネジ３０によって、勝手に狂ったりしないようになっている。調整ネジ２３〜２５の下端は、自身の球状の端部３１の部分において、例えば円形のプレート３３の球状の凹部３２内に着座しており、これにより、傾いた姿勢が補正できるようになっている。このプレート３３は、調整ネジ３４〜３６によって方向３７〜４０（図３参照）に移動可能かつ垂直方向の周りにも回動可能とされており、この様子が、両方向矢印４１によって表されている。プレート３３自身は、床（載置面）にネジで固定されたベッド４２（基板）によって支えられている。
【００１３】
図６は、プレート３３の凹部３２に支えられた状態にある球状の端部３１が設けられた調整ネジ２３を示している。調整ネジ２３は、ネジ本体と球状の端部３１との間の移行部に円環状の切欠４５を有して形成されている。この切欠４５には、安全装置部材４６が係合している。この安全装置部材４６は、プレート３３にネジ止めされ、垂直方向の僅かな遊び５１を確保しつつ調整ネジ２３がプレート３３から持ち上がって出てしまわないようにしている。
【００１４】
調整ネジ２３〜２５は、ブロック２９内では、遊びの少ないフィッティング接続部５５を通して導かれている。上記ブロック２９は、切欠５３および舌部５４による構成のロック部５２によって印刷装置４７上にフランジ止め可能とされている。
【００１５】
図３は、印刷装置４７の従来の４点設置方式を、本明細書に記載された３点設置方式、つまり３つの設置点４８〜５０に設置する方式に対して比較した図を示す。従来では、調整脚部２０の代わりに調整脚部４３，４４が存在していた。印刷装置４７を平らでない床に置いて印刷装置４７を設置する場合、脚部４３，４４での取付け作業に関連して、印刷装置４７がたった３つの脚部上でしか立っていないようなときが起こって、これが架台１のずれやねじれをもたらす可能性がある。周知のように、印刷装置４７は、例えば正確に一直線に並んだ印刷胴１６〜１９を有した状態で、取り付け場所に正確に取付けられる。他の床の場所や新規顧客に対して４つの脚部で移し変えたりすると、４つの調整脚部２１，２２，４３，４４の静力学的に定まらない位置や姿勢が原因となって、必ずや架台１のずれが生じることになる。４つの脚部のうち一つは、負荷が少なかったり、あるいは浮いたりさえする。このような状態は、印刷装置４７の取付けの際に得られていた印刷胴１６〜１９等の正確な直線の並びが再現されるように、上記４つの脚部を再び時間をかけて再調整することで修正されなければならない。周知のように、このような困難は、３点支持の場合には完全に解消される。設置場所の正確な取付け状態は維持され、ゆがんだ床が原因となるずれやねじれは、起こり得ない。
【図面の簡単な説明】
【００１６】
【図１】印刷ユニットの正面図である。
【図２】図１の印刷ユニットをＩの方向から見た図である。
【図３】図２の印刷ユニットをIIの方向から見た図である。
【図４】図１の印刷ユニットのIII−III線部分断面図である。
【図５】図４の印刷ユニットをIVの方向から見た図である。
【図６】図４の調整ネジを示す図である。
【符号の説明】
【００１７】
１・・・架台
２，３・・・側壁部
４，４２・・・ベッド
５・・・カバー板
６，７・・・開口部
８，９・・・ガイド部
１０，１１，１２，１３・・・スライダ
１４，１５・・・矢印方向
１６，１７，１８，１９・・・印刷胴
２０，２１，２２，４３，４４・・・調整脚部
２３，２４，２５・・・調整ネジ
２６，２７，２８，４１・・・両方向矢印
２９・・・ブロック
３０・・・クランプネジ
３１・・・球状の端部
３２・・・球状の凹部
３３・・・プレート
３４，３５，３６・・・調整ネジ
３７，３８，３９，４０・・・方向
４５，５３・・・切欠
４６・・・安全装置部材
４７・・・印刷装置
４８，４９，５０・・・設置点
５１・・・垂直方向の遊び
５２・・・ロック部
５４・・・バネ
５５・・・遊びの無いフィッティング接続部
１００・・・アライメント装置
【図１】
2004181942.tif 000003
【図２】
2004181942.tif 000004
【図３】
2004181942.tif 000005
【図４】
2004181942.tif 000006
【図５】
2004181942.tif 000007
【図６】
2004181942.tif 000008